(57)【要約】【課題】粒子の回収に適した粒子回収ポンプ用のストレーナ組立体、粒子回収ポンプ用のストレーナ、粒子回収システム、及び粒子回収方法を提供する。【解決手段】粒子回収ポンプ用のストレーナ組立体は、粒子回収ポンプの吸込側に設けられる内側ストレーナと、内側ストレーナの外側の少なくとも一部を覆うように取り付けられる外側ストレーナと、を備える。内側ストレーナは、複数の第１孔が形成された第１面を有し、外側ストレーナは、第１面に対向して配置され、複数の第２孔が形成された第２面を有する。第１面と第２面との間には、第１面および第２面に沿って粒子回収ポンプの回収対象粒子が移動可能な空間が形成されている。【選択図】  図１
2020175352.tif 000002
【特許請求の範囲】
【請求項１】
粒子回収ポンプの吸込側に設けられる内側ストレーナと、
前記内側ストレーナの外側の少なくとも一部を覆うように取り付けられる外側ストレーナと、
を備え、
前記内側ストレーナは、複数の第１孔が形成された第１面を有し、
前記外側ストレーナは、前記第１面に対向して配置され、複数の第２孔が形成された第２面を有し、
前記第１面と前記第２面との間に、前記第１面および前記第２面に沿って前記粒子回収ポンプの回収対象粒子が移動可能な空間が形成された
粒子回収ポンプ用のストレーナ組立体。
【請求項２】
前記第１面と前記第２面との隙間を調整するための調整機構を備える請求項１に記載の粒子回収ポンプ用のストレーナ組立体。
【請求項３】
前記第２面における複数の前記第２孔がなす単位面積当たりの開口面積は、前記第１面における複数の前記第１孔がなす単位面積当たりの前記開口面積よりも大きい
請求項１又は２に記載の粒子回収ポンプ用のストレーナ組立体。
【請求項４】
前記内側ストレーナは、底部と、前記底部に対向して設けられる開口が形成された頂部と、前記底部と前記頂部との間に設けられる側壁部と、を含み、
前記内側ストレーナの内部空間は、前記底部および前記側壁部によって囲まれるとともに、前記開口を介して前記粒子回収ポンプ側の流路と連通可能に構成され、
前記側壁部の内面は、前記底部から前記頂部に向かって、前記開口の中心軸と前記内面との間の距離が減少するように前記中心軸に対して傾斜した傾斜面を含む
請求項１乃至３の何れか一項に記載の粒子回収ポンプ用のストレーナ組立体。
【請求項５】
前記内側ストレーナは、底部と、前記底部に対向して設けられる開口が形成された頂部と、前記底部と前記頂部との間に設けられる側壁部と、を含み、
前記内側ストレーナの複数の前記第１孔は、前記底部と前記頂部との中間位置より前記底部に近い領域に位置する
請求項１乃至４の何れか一項に記載の粒子回収ポンプ用のストレーナ組立体。
【請求項６】
前記内側ストレーナの前記第１面には、複数の突起が設けられ、
複数の前記突起をそれぞれ貫通して複数の前記第１孔が設けられている。
請求項１乃至５の何れか一項に記載の粒子回収ポンプ用のストレーナ組立体。
【請求項７】
複数の前記突起は、側面と先端面との接続部が面取りされている
請求項６に記載の粒子回収ポンプ用のストレーナ組立体。
【請求項８】
前記第１孔は、前記第１孔の上流端に位置する上流側開口端と、前記第１孔の下流端に位置するとともに前記上流側開口端よりも開口面積が大きい下流側開口端と、を含む
請求項１乃至７の何れか一項に記載の粒子回収ポンプ用のストレーナ組立体。
【請求項９】
粒子回収ポンプの吸込側に設けられるストレーナであって、
複数の孔を含むストレーナ本体を備え、
各々の前記孔は、前記孔の上流端に位置する上流側開口端と、前記孔の下流端に位置するとともに前記上流側開口端よりも開口面積が大きい下流側開口端と、を含む
粒子回収ポンプ用のストレーナ。
【請求項１０】
粒子を含む液体を吸引するための粒子回収ポンプと、
前記粒子回収ポンプの吸込側に設けられる請求項１乃至８の何れか一項に記載の粒子回収ポンプ用のストレーナ組立体又は請求項９に記載の粒子回収ポンプ用のストレーナと、を備える
粒子回収システム。
【請求項１１】
前記液体とともに前記粒子回収ポンプにより吸引された前記粒子を分離するための固液分離ユニットを備え、
前記固液分離ユニットは、前記粒子回収ポンプより下流側に設けられ、前記固液分離ユニットにより前記粒子が取り除かれた前記液体を前記固液分離ユニットの周囲に流出させるように構成された
請求項１０に記載の粒子回収システム。
【請求項１２】
前記液体とともに前記粒子回収ポンプにより吸引された前記粒子を分離するための固液分離ユニットを備え、
前記固液分離ユニットは、前記粒子回収ポンプ用のストレーナ組立体又は前記粒子回収ポンプ用のストレーナから前記粒子回収ポンプまでの流路に設けられる
請求項１０に記載の粒子回収システム。
【請求項１３】
前記固液分離ユニットが分離した前記粒子の脱水を行うための脱水装置をさらに備える
請求項１１又は１２に記載の粒子回収システム。
【請求項１４】
前記脱水装置は、前記固液分離ユニットを回転させるように構成された回転機構又は前記固液分離ユニットを振動させるように構成された振動機構を含む
請求項１３に記載の粒子回収システム。
【請求項１５】
前記固液分離ユニットが分離した前記粒子を加熱乾燥するように構成された加熱装置と、前記固液分離ユニットを収容可能なチャンバの内部を真空引きするように構成された水分除去装置と、加熱時の排気に含まれる微粒子をフィルタリングするための固気分離装置との少なくとも一つをさらに備える
請求項１１乃至１４の何れか一項に記載の粒子回収システム。
【請求項１６】
粒子回収ポンプの吸込側に設けられ、複数の第１孔が形成された第１面を有する内側ストレーナと、前記内側ストレーナの外側の少なくとも一部を覆うように取り付けられ、前記第１面に対向して配置される複数の第２孔が形成された第２面を有する外側ストレーナとを粒子を含む液体中に浸漬する浸漬ステップと、
前記粒子回収ポンプの吸引力によって、複数の前記第１孔と複数の前記第２孔よりも小さい前記粒子を、前記第１面および前記第２面に沿って前記粒子が移動可能な前記第１面と前記第２面との間の空間を介して回収する回収ステップと、
を備える粒子回収方法。
【発明の詳細な説明】
【技術分野】
【０００１】
本開示は、粒子回収ポンプ用のストレーナ組立体、粒子回収ポンプ用のストレーナ、粒子回収システム、及び粒子回収方法に関する。
【背景技術】
【０００２】
浚渫工事、資源採掘、沈殿物回収等では、粒子を含む液体の回収が必要となる場合がある。このような場合において、ストレーナを備えた水中ポンプが使用されることがある。例えば、特許文献１には、ストレーナを設けた水中ポンプ（粒子回収ポンプ）によって泥土を吸引することが開示されている。
【０００３】
なお、粒子回収ポンプとは関係ないが、異物を除去しながら水を吸引する水中ポンプにおいてストレーナを二重にした構成が知られている（例えば、特許文献２）。
【先行技術文献】
【特許文献】
【０００４】
【特許文献１】特開２００１−２１４８７９号公報
【特許文献２】特開２０１８−１０９３８９号公報
【発明の概要】
【発明が解決しようとする課題】
【０００５】
水を吸引対象物とする場合には、ストレーナの吸込用の孔に大きな粒子が吸い付いた状態になったとしても、その隙間から水を吸引できれば支障がない。しかしながら、粒子を含む液体を吸引対象物として粒子の回収を目的とする場合、支障が出る場合がある。
【０００６】
本願発明者が鋭意検討した結果、特許文献１のようなストレーナを備える粒子回収ポンプでは、水は吸引されるものの、粒子は十分に吸引されないことが判明した。本願発明者の知見によれば、大きな粒子がストレーナの吸込用の孔に吸い付き、ストレーナの孔の開口面積のうち吸引に有効な面積が減少するため、ストレーナの孔の開口面積を通過可能な大きさの粒子であっても、吸引に有効な面積の減少した状態ではストレーナの孔を通過できない状態（すなわち粒子を吸引できない状態）となる。したがって、特許文献１のようなストレーナは、粒子の回収に適した構成ではない。
【０００７】
なお、特許文献２は、ストレーナを二重にした構成を開示している。しかし、特許文献２が開示する構成は、水が吸引対象物とする構成であるため、水を吸引できれば、目的の達成に支障が生じない。そのため、粒子の回収における課題解決を示唆するものではない。
【０００８】
上述の事情に鑑みて、本発明の少なくとも一実施形態は、粒子の回収に適した粒子回収ポンプ用のストレーナ組立体、粒子回収ポンプ用のストレーナ、粒子回収システム、及び粒子回収方法を提供することを目的とする。
【課題を解決するための手段】
【０００９】
（１）本発明の少なくとも一実施形態に係る粒子回収ポンプ用のストレーナ組立体は、
粒子回収ポンプの吸込側に設けられる内側ストレーナと、
前記内側ストレーナの外側の少なくとも一部を覆うように取り付けられる外側ストレーナと、
を備え、
前記内側ストレーナは、複数の第１孔が形成された第１面を有し、
前記外側ストレーナは、前記第１面に対向して配置され、複数の第２孔が形成された第２面を有し、
前記第１面と前記第２面との間に、前記第１面および前記第２面に沿って前記粒子回収ポンプの回収対象粒子が移動可能な空間が形成されている。
【００１０】
本願発明者が鋭意検討した結果、一つのストレーナでは、ストレーナの孔を回収対象粒子より大きくするように設計しても、粒子の回収においては、大きな粒子の吸い付きによりストレーナの孔の開口面積が減少するため、十分に粒子を回収できないことが判明している。
【００１１】
これに対し、上記（１）の構成は、内側ストレーナの外側の少なくとも一部を覆うように外側ストレーナを設けている。この場合、外側ストレーナの第２孔を通過できない大きな粒子は、外側ストレーナの内部空間に流入しにくくなるため、内側ストレーナの第１孔の開口面積のうち吸引に有効な面積を確保することが可能となる。外側ストレーナの第２孔から流入した回収対象粒子は、第１面および第２面に沿って移動可能であるため、内側ストレーナの第１孔に容易に達することができる。また、複数の第２孔のいずれか一つ以上の第２孔に粒子が吸い付いた状態になったとしても、回収対象粒子は、他の第２孔から流入し、移動可能な空間を通って回り込み、内側ストレーナの第１孔に容易に達することができる。かかる構成によれば、粒子を含む液体を吸引対象物とする粒子の回収において、吸引対象物を十分に吸引することが可能である。そのため、粒子の回収に適している。
【００１２】
（２）幾つかの実施形態では、上記（１）の構成において、前記第１面と前記第２面との隙間を調整するための調整機構を備える。
【００１３】
上記（２）の構成によれば、第１面と第２面との隙間を調整することにより、第１面と第２面との間で第１面および第２面に沿って移動可能な粒子の最大粒径を調整することができる。そのため、所望の回収対象粒子を回収することが可能となる。
【００１４】
（３）幾つかの実施形態では、上記（１）又は（２）の構成において、前記第２面における複数の前記第２孔がなす単位面積当たりの開口面積は、前記第１面における複数の前記第１孔がなす単位面積当たりの前記開口面積よりも大きい。
【００１５】
上記（３）の構成によれば、外側ストレーナによる圧力損失を内側ストレーナによる圧力損失より小さくし、回収対象粒子が移動可能な空間における流速を大きくすることができる。
【００１６】
（４）幾つかの実施形態では、上記（１）乃至（３）の何れか一つの構成において、
前記内側ストレーナは、底部と、前記底部に対向して設けられる開口が形成された頂部と、前記底部と前記頂部との間に設けられる側壁部と、を含み、
前記内側ストレーナの内部空間は、前記底部および前記側壁部によって囲まれるとともに、前記開口を介して前記粒子回収ポンプ側の流路と連通可能に構成され、
前記側壁部の内面は、前記底部から前記頂部に向かって、前記開口の中心軸と前記内面との間の距離が減少するように前記中心軸に対して傾斜した傾斜面を含む。
【００１７】
上記（４）の構成では、内側ストレーナの側壁部の内面は、底部から頂部に向かって、開口の中心軸と内面との間の距離が減少するように中心軸に対して傾斜した傾斜面を含んでいるため、底部における内部空間の断面積は、頂部における内部空間の断面積より大きくなる。そのため、粒子回収ポンプ側の流路の断面積に依存せずに広範囲の吸引が可能となる。また、本願発明者が鋭意検討した結果、ストレーナの内部空間と粒子回収ポンプ側の流路との間に大きな段差があると、粒子がその段差を通過せずに滞留してしまうことが判明した。この点、上記（４）の構成によれば、内側ストレーナの側壁部の内面が傾斜面となっているため、内部空間で粒子が滞留する虞を低減し、内部空間に流入した粒子を効果的に粒子回収ポンプに搬送することが可能となる。
【００１８】
（５）幾つかの実施形態では、上記（１）乃至（４）の何れか一つの構成において、
前記内側ストレーナは、底部と、前記底部に対向して設けられる開口が形成された頂部と、前記底部と前記頂部との間に設けられる側壁部と、を含み、
前記内側ストレーナの複数の前記第１孔は、前記底部と前記頂部との中間位置より前記底部に近い領域に位置する。
【００１９】
本願発明者の知見によれば、ストレーナの吸い込み用の複数の孔の開口面積の合計値が大きいと、それらの孔を通過する流体の流速が小さくなってしまう。また、ストレーナを水底（水ではない液体が溜まっている場所の底であってもよい）などに沈めて吸引を行う場合に、ストレーナの頂部に近い位置に孔が設けられていても、その孔は水底に沈降した粒子を吸い込みにくい。この点、上記（５）の構成によれば、底部に近い領域に複数の第１孔が位置している。この場合、沈降した粒子の吸引に有効な場所を選択して複数の第１孔が設けられているため、内側ストレーナの底部を下に向けて吸引すれば、それらの孔を通過する流体の流速を確保しつつ、水底に沈降した回収対象粒子を効果的に吸引することが可能となる。
【００２０】
（６）幾つかの実施形態では、上記（１）乃至（５）の何れか一つの構成において、前記内側ストレーナの前記第１面には、複数の突起が設けられ、複数の前記突起をそれぞれ貫通して複数の前記第１孔が設けられている。
【００２１】
上記（６）の構成によれば、突起の隙間より大きい粒子が第１孔に吸い付きにくくなる。
【００２２】
（７）幾つかの実施形態では、上記（６）の構成において、複数の前記突起は、側面と先端面との接続部が面取りされている。
【００２３】
上記（７）の構成によれば、側面と先端面との接続部が面取りされているため、突起に粒子が付着しにくくなる。
【００２４】
（８）幾つかの実施形態では、上記（１）乃至（７）の何れか一つの構成において、前記第１孔は、前記第１孔の上流端に位置する上流側開口端と、前記第１孔の下流端に位置するとともに前記上流側開口端よりも開口面積が大きい下流側開口端と、を含む。
【００２５】
上記（８）の構成によれば、第１孔は、下流側開口端の方が上流側開口端よりも開口面積が大きくなっている。この場合、第１孔の上流側開口端を通過した粒子が第１孔の内部で引っ掛かりにくく、仮に粒子が第１孔の上流側開口端に引っ掛かったとしても、粒子回収ポンプの吸引力によって外れやすい。そのため、粒子の回収に適している。
【００２６】
（９）本発明の少なくとも一実施形態に係る粒子回収ポンプ用のストレーナは、
粒子回収ポンプの吸込側に設けられるストレーナであって、
複数の孔を含むストレーナ本体を備え、
各々の前記孔は、前記孔の上流端に位置する上流側開口端と、前記孔の下流端に位置するとともに前記上流側開口端よりも開口面積が大きい下流側開口端と、を含む。
【００２７】
上記（９）の構成によれば、複数の孔のそれぞれにおいて、下流側開口端の方が上流側開口端よりも開口面積が大きくなっている。この場合、孔の上流側開口端を通過した粒子が孔の内部で引っ掛かりにくく、仮に粒子が孔の上流側開口端に引っ掛かったとしても、粒子回収ポンプの吸引力によって外れやすい。そのため、粒子の回収に適している。
【００２８】
（１０）本発明の少なくとも一実施形態に係る粒子回収システムは、
粒子を含む液体を吸引するための粒子回収ポンプと、
前記粒子回収ポンプの吸込側に設けられる上記（１）乃至（８）の何れか一つの粒子回収ポンプ用のストレーナ組立体又は上記（９）の粒子回収ポンプ用のストレーナと、を備える。
【００２９】
上記（１０）の構成によれば、上記（１）乃至（８）の何れか一つの粒子回収ポンプ用のストレーナ組立体又は上記（９）の粒子回収ポンプ用のストレーナを備えているため、粒子の回収に適している。
【００３０】
（１１）幾つかの実施形態では、上記（１０）の構成において、
前記粒子回収システムは、前記液体とともに前記粒子回収ポンプにより吸引された前記粒子を分離するための固液分離ユニットを備え、
前記固液分離ユニットは、前記粒子回収ポンプより下流側に設けられ、前記固液分離ユニットにより前記粒子が取り除かれた前記液体を前記固液分離ユニットの周囲に流出させるように構成されている。
【００３１】
上記（１１）の構成によれば、吸引した粒子と液体との分離を簡易な構成で実現することが可能となる。また、固液分離ユニットを密封しなくてもよいため、固液分離ユニットの交換作業を簡単化することが可能となる。
【００３２】
（１２）幾つかの実施形態では、上記（１０）の構成において、
前記粒子回収システムは、前記液体とともに前記粒子回収ポンプにより吸引された前記粒子を分離するための固液分離ユニットを備え、
前記固液分離ユニットは、前記粒子回収ポンプ用のストレーナ組立体又は前記粒子回収ポンプ用のストレーナから前記粒子回収ポンプまでの流路に設けられる。
【００３３】
上記（１２）の構成によれば、固液分離ユニットによって大きな粒子が除去されるため、粒子回収ポンプに大きな粒子が流入しにくくなる。そのため、大きな粒子の流入に起因する粒子回収ポンプの損傷リスク（例えば、ポンプ内の摩耗や閉塞）を小さくすることができる。
【００３４】
（１３）幾つかの実施形態では、上記（１１）又は（１２）の構成において、前記粒子回収システムは、前記固液分離ユニットが分離した前記粒子の脱水を行うための脱水装置をさらに備える。
【００３５】
上記（１３）の構成によれば、固液分離後の粒子に含まれる水分をさらに分離することができる。
【００３６】
（１４）幾つかの実施形態では、上記（１３）の構成において、前記脱水装置は、前記固液分離ユニットを回転させるように構成された回転機構又は前記固液分離ユニットを振動させるように構成された振動機構を含む。
【００３７】
上記（１４）の構成によれば、固液分離ユニットをそのまま回転又は振動させて脱水させることができる。そのため、脱水を行うために固液分離ユニットの中身を他の容器に移し替える作業が不要となる。
【００３８】
（１５）幾つかの実施形態では、上記（１１）乃至（１４）の何れか一つの構成において、前記粒子回収システムは、前記固液分離ユニットが分離した前記粒子を加熱乾燥するように構成された加熱装置と、前記固液分離ユニットを収容可能なチャンバの内部を真空引きするように構成された水分除去装置と、加熱時の排気に含まれる微粒子をフィルタリングするための固気分離装置との少なくとも一つをさらに備える。
【００３９】
上記（１５）の構成によれば、粒子を外部に流出しにくくし、粒子を分離して回収することができる。
【００４０】
（１６）本発明の少なくとも一実施形態に係る粒子回収方法は、
粒子回収ポンプの吸込側に設けられ、複数の第１孔が形成された第１面を有する内側ストレーナと、前記内側ストレーナの外側の少なくとも一部を覆うように取り付けられ、前記第１面に対向して配置される複数の第２孔が形成された第２面を有する外側ストレーナとを粒子を含む液体中に浸漬する浸漬ステップと、
前記粒子回収ポンプの吸引力によって、複数の前記第１孔と複数の前記第２孔よりも小さい前記粒子を、前記第１面および前記第２面に沿って前記粒子が移動可能な前記第１面と前記第２面との間の空間を介して回収する回収ステップと、
を備える。
【００４１】
上記（１６）の方法によれば、外側ストレーナによって第２孔を通過できない大きな粒子が排除されるため、内側ストレーナの第１孔の閉塞が生じにくくなる。外側ストレーナの第２孔から流入した回収対象粒子は、第１面および第２面に沿って移動可能であるため、内側ストレーナの第１孔に容易に達することができる。また、複数の第２孔のいずれか一つ以上の第２孔に粒子が吸い付いた状態になったとしても、回収対象粒子は、他の第２孔から流入し、移動可能な空間を通って回り込み、内側ストレーナの第１孔に容易に達することができる。そのため、粒子の回収に適している。
【発明の効果】
【００４２】
本発明の少なくとも一実施形態によれば、粒子の回収に適した粒子回収ポンプ用のストレーナ組立体、粒子回収ポンプ用のストレーナ、粒子回収システム、及び粒子回収方法が提供される。
【図面の簡単な説明】
【００４３】
【図１】本発明の一実施形態に係る粒子回収ポンプ用のストレーナ組立体を正面から見た概略斜視図である。
【図２】本発明の一実施形態に係る粒子回収ポンプ用のストレーナ組立体を底面側から見た概略図である。
【図３Ａ】一実施形態に係る粒子回収ポンプ用のストレーナ組立体のストレーナ間の隙間を説明するための斜視図である。
【図３Ｂ】図３Ａに示す粒子回収ポンプ用のストレーナ組立体のストレーナ間の隙間を説明するための側面図である。
【図４Ａ】一実施形態に係る粒子回収ポンプ用のストレーナ組立体の内側ストレーナの吸込方向に沿った断面図である。
【図４Ｂ】一実施形態に係る粒子回収ポンプ用のストレーナ組立体の内側ストレーナの吸込方向に沿った断面図である。
【図５】一実施形態に係る粒子回収ポンプ用のストレーナ組立体を粒子が通過する様子を示す概略図である。
【図６】一実施形態に係る内側ストレーナの概略構成を示す斜視図である。
【図７】一実施形態に係る内側ストレーナの概略構成を示す斜視図である。
【図８Ａ】一実施形態に係る内側ストレーナの概略構成を示す斜視図である。
【図８Ｂ】図８Ａに示す内側ストレーナの概略断面図である。
【図９Ａ】一実施形態に係る内側ストレーナの概略構成を示す斜視図である。
【図９Ｂ】図９Ａに示す内側ストレーナの概略断面図である。
【図１０Ａ】比較例に係る粒子回収ポンプ用のストレーナの孔を粒子が通過する様子を示す概略図である。
【図１０Ｂ】一実施形態に係る粒子回収ポンプ用のストレーナの孔を粒子が通過する様子を示す概略図である。
【図１１】一実施形態に係る粒子回収システムの構成を示す概略図である。
【図１２】一実施形態に係る粒子回収システムの構成を示す概略図である。
【図１３】一実施形態に係る粒子回収システムの脱水装置の構成を示す概略図である。
【図１４】一実施形態に係る粒子回収システムの脱水装置の構成を示す概略図である。
【図１５】一実施形態に係る粒子回収方法を示すフローチャートである。
【００４４】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４５】
図１は、本発明の一実施形態に係る粒子回収ポンプ用のストレーナ組立体３０を正面から見た概略斜視図である。図２は、本発明の一実施形態に係る粒子回収ポンプ用のストレーナ組立体３０を底面側から見た概略図である。
【００４６】
図１に示すように、一実施形態に係る粒子回収ポンプ用のストレーナ組立体３０は、粒子回収ポンプ４０の吸込側に設けられる内側ストレーナ１０と、内側ストレーナ１０の外側の少なくとも一部を覆うように取り付けられる外側ストレーナ２０と、を備える。粒子回収ポンプ用のストレーナ組立体３０は、例えば、水底に沈めて使用される。
【００４７】
粒子回収ポンプ用のストレーナ組立体３０には、粒子回収ポンプ４０が接続される。なお、図１では、粒子回収ポンプ用のストレーナ組立体３０は、直接的にポンプ本体である粒子回収ポンプ４０に連結されている。しかし、粒子回収ポンプ用のストレーナ組立体３０は、ポンプ本体に回収対象粒子を搬送するための流路をなす部材である配管４１（後述する図８Ａ、図８Ｂ、図９Ａ、図９Ｂ、図１１、図１２参照）を介して粒子回収ポンプ４０と間接的に接続される構成であってもよい。
【００４８】
図３Ａは、一実施形態に係る粒子回収ポンプ用のストレーナ組立体３０のストレーナ間の隙間Ａを説明するための斜視図である。図３Ｂは、図３Ａに示す粒子回収ポンプ用のストレーナ組立体３０のストレーナ間の隙間Ａを説明するための側面図である。図４Ａは、一実施形態に係る粒子回収ポンプ用のストレーナ組立体３０の内側ストレーナ１０の吸込方向に沿った断面図である。図４Ｂは、一実施形態に係る粒子回収ポンプ用のストレーナ組立体３０の内側ストレーナ１０の吸込方向に沿った断面図である。図５は、一実施形態に係る粒子回収ポンプ用のストレーナ組立体３０を粒子が通過する様子を示す概略図である。
【００４９】
図１及び図２に示すように、内側ストレーナ１０は、複数の第１孔１１が形成された第１面を有している。図１、図２及び図５に示すように、外側ストレーナ２０は、第１面に対向して配置され、複数の第２孔２１（後述する図５参照）が形成された第２面を有している。例えば、内側ストレーナ１０は、複数の第１孔１１を有するパンチングメタルである。外側ストレーナ２０は、金属製の網２２を含む金属メッシュから構成され、その網２２の網目が第２孔２１をなしている。
【００５０】
図３Ａ、図３Ｂ、図４Ａ及び図４Ｂに示すように、第１面と第２面との間には、第１面および第２面に沿って粒子回収ポンプ４０の回収対象粒子が移動可能な空間５０が形成されている。第１面と第２面との最小の距離である隙間Ａは、粒子回収ポンプの回収対象粒子の粒子径以上の長さであることが好ましい。回収対象粒子の最大粒子径は、例えば、０．１ｍｍ〜３０ｍｍ程度である。
【００５１】
例えば、回収対象粒子の最大粒子径が０．１ｍｍである場合、隙間Ａは０．１ｍｍ以上となるように設計される。これにより、内側ストレーナ１０と外側ストレーナ２０との間において閉塞が生じる虞を軽減できる。また、第１面と第２面との隙間は、回収対象粒子の最大粒子径の３倍程度であることがより好ましく。粒子回収ポンプの回収対象粒子の最大粒子径の２〜４倍の長さであることがより好ましい。ただし、最適な隙間Ａは、回収対象粒子の比重及び形状、粒子回収ポンプ４０の性能等によって異なる。
【００５２】
そこで、例えば、図４Ｂに示すように、粒子回収ポンプ用のストレーナ組立体３０は、第１面と第２面との隙間Ａを調整するための調整機構２５を備えていてもよい。図４Ｂに示す調整機構２５は、配管４１に対して上下方向（図中のＺ方向）に沿う可動範囲において、任意の位置に外側ストレーナ２０を固定可能に構成される。調整機構２５によって配管４２に対する外側ストレーナ２０の位置を変更することにより、隙間Ａを変化させることができる。
【００５３】
なお、調整機構２５は、配管４１ではなく、粒子回収ポンプ４０又は内側ストレーナ１０に対して外側ストレーナ２０を固定するように構成されていてもよい。調整機構２５は、外側ストレーナ２０と内側ストレーナ１０の相対的な位置関係を調整して第１面と第２面との隙間Ａを調整することが可能な構成であればよい。また、調整機構２５による可動範囲（すなわち調整範囲）は上下方向に限られず、内側ストレーナ１０と外側ストレーナ２０との形状と固定位置等の形態に応じて適宜変更可能である。
【００５４】
図５に示すように、内側ストレーナ１０と外側ストレーナ２０は、第２面における複数の第２孔２１がなす単位面積当たりの開口面積が、第１面における複数の第１孔１１がなす単位面積当たりの開口面積よりも大きくなるように設計される。例えば、第１孔１１は、回収対象粒子の最大粒子径が通過可能な大きさに設計され、第２孔２１は、第１孔１１より大きな開口面積となるように設計される。
【００５５】
図４Ａ及び図４Ｂに示すように、幾つかの実施形態では、内側ストレーナ１０は、底部１３と、底部１３に対向して設けられる開口１６が形成された頂部１５と、底部１３と頂部１５との間に設けられる側壁部１４と、を含む。内側ストレーナ１０の内部空間５１は、底部１３および側壁部１４によって囲まれるとともに、開口１６を介して粒子回収ポンプ４０側の流路と連通可能に構成される。側壁部１４の内面は、底部１３から頂部１５に向かって、開口１６の中心軸と側壁部１４の内面との間の距離が減少するように開口１６の中心軸に対して傾斜した傾斜面を含む。なお、図４Ａ及び図４Ｂに示す例では、開口１６の中心軸はＺ軸に平行な方向を有する。
【００５６】
図６は、一実施形態に係る内側ストレーナ１０の概略構成を示す斜視図である。図７は、一実施形態に係る内側ストレーナ１０の概略構成を示す斜視図である。
【００５７】
内側ストレーナ１０は、図１及び図４Ａ及び図４Ｂに示す内側ストレーナ１０（１０Ａ）のように円錐台状の形状を有していてもよい。また、内側ストレーナ１０は、図３Ａ及び図３Ｂに示す内側ストレーナ１０（１０Ｂ）のように上側が円錐台状で下側が円柱状の形状を有していてもよい。内側ストレーナ１０は、図６に示す内側ストレーナ１０（１０Ｃ）のように円筒状の形状を有していてもよい。内側ストレーナ１０は、図７に示す内側ストレーナ１０（１０Ｄ）のように、球面状の底部を有する形状のであってもよい。内側ストレーナ１０は、特に図示しないが、中空の四角柱状、三角柱状等の形状であってもよい。
【００５８】
幾つかの実施形態では、例えば、図１、図２、図６及び図７に示すように、内側ストレーナ１０（１０Ａ、１０Ｂ、１０Ｃ、１０Ｄ）は、複数の第１孔１１は、底部１３と頂部１５との中間位置より底部１３に近い領域に位置する。なお、複数の第１孔１１は、底部１３と頂部１５との中間位置より底部１３に近い領域であればよく、底部１３のみに設けられてもよいし、側壁部１４のみに設けられてもよいし、底部１３と側壁部１４の両方に設けられてもよい。
【００５９】
図８Ａは、一実施形態に係る内側ストレーナ１０（１０Ｅ）の概略構成を示す斜視図である。図８Ｂは、図８Ａに示す内側ストレーナ１０（１０Ｅ）の概略断面図である。図９Ａは、一実施形態に係る内側ストレーナ１０（１０Ｆ）の概略構成を示す斜視図である。図９Ｂは、図９Ａに示す内側ストレーナ１０（１０Ｆ）の概略断面図である。
【００６０】
幾つかの実施形態では、図８Ａ、図８Ｂ、図９Ａ及び図９Ｂに示すように、内側ストレーナ１０（１０Ｅ、１０Ｆ）の第１面には、複数の突起１７（１７Ａ、１７Ｂ）が設けられている。例えば、突起１７（１７Ａ）は、中空の円柱状であり、突起１７（１７Ｂ）は、中空の円錐台状である。また、複数の突起１７（１７Ａ、１７Ｂ）をそれぞれ貫通して複数の第１孔１１が設けられている。
【００６１】
なお、この場合、第１面と第２面との間の隙間Ａは、第１面に設けられている突起１７（１７Ａ、１７Ｂ）の先端から第２面までの長さであってもよい。内側ストレーナ１０（１０Ｅ、１０Ｆ）の複数の突起１７（１７Ａ、１７Ｂ）は、側面と先端面との接続部が面取りされ、突起１７（１７Ａ、１７Ｂ）の先端は丸みを帯びている。
【００６２】
内側ストレーナ１０（１０Ａ、１０Ｂ、１０Ｃ、１０Ｄ、１０Ｅ、１０Ｆ）は、例えば、図５に示すように、第１孔１１は、第１孔１１の上流端に位置する上流側開口端と、第１孔１１の下流端に位置するとともに上流側開口端よりも開口面積が大きい下流側開口端と、を含むように構成されてもよい。なお、上流側開口端は、吸引方向の上流側に位置して、内側ストレーナ１０の内部空間５１に面している端部であり、下流側開口端は、吸引方向の下流側に位置して、上流側開口端と対向する端部である。なお、内側ストレーナ１０の第１孔１１ではなく外側ストレーナ２０の第２孔２１においても上流側開口端より開口面積が大きい下流側開口端を含む構成にすることが可能である。また、このような孔は、図９Ｂに示すように、突起１７を貫通するように設けられてもよい。
【００６３】
以上説明したように、一実施形態に係る粒子回収ポンプ用のストレーナ組立体３０は、例えば、図１〜図７、図８Ａ、図８Ｂ、図９Ａ、図９Ｂに示すように、粒子回収ポンプ４０の吸込側に設けられる内側ストレーナ１０と、内側ストレーナ１０の外側の少なくとも一部を覆うように取り付けられる外側ストレーナ２０と、を備えている。また、内側ストレーナ１０は、複数の第１孔１１が形成された第１面（例えば、底部１３と側壁部１４）を有し、外側ストレーナ２０は、第１面に対向して配置され、複数の第２孔２１が形成された第２面（例えば、外側ストレーナ２０の全面）を有する。また、図１〜図５に示すように、内側ストレーナ１０の第１面と外側ストレーナ２０の第２面との間には、第１面および第２面に沿って粒子回収ポンプ４０の回収対象粒子が移動可能な空間５０が形成されている。
【００６４】
本願発明者が鋭意検討した結果、一つのストレーナでは、ストレーナの孔を回収対象粒子より大きくするように設計しても、粒子の回収においては、大きな粒子の吸い付きによりストレーナの孔の開口面積が減少するため、十分に粒子を回収できないことが判明している。
【００６５】
これに対し、上記構成では、内側ストレーナ１０の外側に外側ストレーナ２０を設けている。この場合、外側ストレーナ２０の第２孔２１を通過できない大きな粒子は、外側ストレーナ２０の内部空間（すなわち空間５０）に流入しにくくなるため、内側ストレーナ１０の第１孔１１の開口面積のうち吸引に有効な面積を確保することが可能となる。例えば、図５に示すように、大きな粒子Ｐ１は、第２孔２１を通過できないのに対し、小さな粒子Ｐ２、Ｐ３、Ｐ４は、第２孔２１を通過することができる。外側ストレーナ２０の第２孔２１から流入した回収対象粒子は、第１面および第２面に沿って移動可能であるため、内側ストレーナ１０の第１孔１１に容易に達することができる。また、複数の第２孔２１のいずれか一つ以上の第２孔２１に粒子が吸い付いた状態になったとしても、回収対象粒子は、他の第２孔２１から流入し、移動可能な空間５０を通って回り込み、内側ストレーナ１０の第１孔１１に容易に達することができる。かかる構成によれば、粒子を含む液体を吸引対象物とする粒子の回収において、吸引対象物を十分に吸引することが可能である。そのため、粒子の回収に適している。
【００６６】
幾つかの実施形態では、例えば、図４Ｂに示すように、第１面と第２面との隙間Ａを調整するための調整機構２５を備える。
【００６７】
かかる構成によれば、第１面と第２面との隙間Ａを調整することにより、第１面と第２面との間で第１面および第２面に沿って移動可能な粒子の最大粒径を調整することができる。そのため、所望の回収対象粒子を回収することが可能となる。
【００６８】
幾つかの実施形態では、例えば、図５に示すように、外側ストレーナ２０の第２面における複数の第２孔２１がなす単位面積当たりの開口面積は、内側ストレーナ１０の第１面における複数の第１孔１１がなす単位面積当たりの開口面積よりも大きい。かかる構成によれば、外側ストレーナ２０による圧力損失を内側ストレーナ１０による圧力損失より小さくし、回収対象粒子が移動可能な空間５０における流速を大きくすることができる。
【００６９】
幾つかの実施形態では、例えば、図１、図４Ａ、図４Ｂ、図８Ａ、図８Ｂ、図９Ａ、図９Ｂに示すように、内側ストレーナ１０は、底部１３と、底部１３に対向して設けられる開口１６が形成された頂部１５と、底部１３と頂部１５との間に設けられる側壁部１４と、を含んでいる。内側ストレーナ１０の内部空間５１は、底部１３および側壁部１４によって囲まれるとともに、開口１６を介して粒子回収ポンプ４０側の流路と連通可能に構成されている。また、側壁部１４の内面は、底部１３から頂部１５に向かって、開口１６の中心軸と側壁部１４の内面との間の距離が減少するように開口１６の中心軸に対して傾斜した傾斜面を含んでいる。
【００７０】
かかる構成では、内側ストレーナ１０の側壁部１４の内面は、底部１３から頂部１５に向かって、開口１６の中心軸と側壁部１４の内面との間の距離が減少するように中心軸に対して傾斜した傾斜面を含んでいるため、底部１３における内部空間５１の断面積は、頂部１５における内部空間５１の断面積より大きくなる。そのため、粒子回収ポンプ４０側の流路の断面積に依存せずに広範囲の吸引が可能となる。また、本願発明者が鋭意検討した結果、ストレーナの内部空間と粒子回収ポンプ側の流路との間に大きな段差があると、粒子がその段差を通過せずに滞留してしまうことが判明している。この点、上記構成によれば、内側ストレーナ１０の側壁部１４の内面が傾斜面となっているため、内部空間５１で粒子が滞留する虞を低減し、内部空間５１に流入した粒子を効果的に粒子回収ポンプ４０に搬送することが可能となる。
【００７１】
なお、例えば、図１〜６に示すように、開口１６の中心軸に沿った内側ストレーナ１０の高さ方向において開口１６に隣接する内部空間５１の上端領域の断面積は、開口１６の面積に対して過度に大きくないこと（例えば開口１６の面積の１．２倍以下であること）が好ましい。この場合、デッドスペースが小さいため、内側ストレーナ１０の内部空間５１で粒子が滞留する虞を低減し、内部空間５１に流入した粒子を効果的に粒子回収ポンプ４０に搬送することが可能となる。このことは、図６に示す内側ストレーナ１０（１０Ｃ）のように、側壁部１４が傾斜面を含まない形状であっても同様である。
【００７２】
幾つかの実施形態では、図１〜図６に示すように、内側ストレーナ１０は、底部１３と、底部１３に対向して設けられる開口１６が形成された頂部１５と、底部１３と頂部１５との間に設けられる側壁部１４と、を含んでいる。また、内側ストレーナ１０の複数の第１孔１１は、底部１３と頂部１５との中間位置より底部１３に近い領域に位置している。
【００７３】
本願発明者の知見によれば、ストレーナの吸い込み用の複数の孔の開口面積の合計値が大きいと、それらの孔を通過する流体の流速が小さくなってしまう。また、ストレーナを水底（水ではない液体が溜まっている場所の底であってもよい）などに沈めて吸引を行う場合に、ストレーナの頂部に近い位置に孔が設けられていても、その孔は水底に沈降した粒子を吸い込みにくい。この点、上記構成によれば、底部１３に近い領域に複数の第１孔１１が位置している。この場合、沈降した粒子の吸引に有効な場所を選択して複数の第１孔１１が設けられているため、内側ストレーナ１０の底部１３を下に向けて吸引すれば、それらの孔（第１孔１１）を通過する流体の流速を確保しつつ、水底に沈降した回収対象粒子を効果的に吸引することが可能となる。
【００７４】
幾つかの実施形態では、例えば、図８Ａ、図８Ｂ、図９Ａ、図９Ｂに示すように、内側ストレーナ１０の第１面には、複数の突起１７が設けられ、複数の突起１７をそれぞれ貫通して複数の第１孔１１が設けられている。かかる構成によれば、突起１７の隙間より大きい粒子が第１孔１１に吸い付きにくくなる。
【００７５】
幾つかの実施形態では、例えば、図８Ａ、図８Ｂ、図９Ａ、図９Ｂに示すように、複数の突起１７は、側面と先端面との接続部が面取りされている。かかる構成によれば、側面と先端面との接続部が面取りされているため、突起１７に粒子が付着しにくくなる。
【００７６】
幾つかの実施形態では、例えば、図５に示すように、第１孔１１は、第１孔１１の上流端に位置する上流側開口端と、第１孔１１の下流端に位置するとともに上流側開口端よりも開口面積が大きい下流側開口端と、を含む。
【００７７】
かかる構成によれば、第１孔１１は、下流側開口端の方が上流側開口端よりも開口面積が大きくなっている。この場合、第１孔の上流側開口端を通過した粒子Ｐ２、Ｐ３、Ｐ４が第１孔１１の内部で引っ掛かりにくく、仮に粒子Ｐ２、Ｐ３、Ｐ４が第１孔の上流側開口端に引っ掛かったとしても、粒子回収ポンプ４０の吸引力によって外れやすい。そのため、粒子の回収に適している。
【００７８】
以下、上述した粒子回収ポンプ用のストレーナ組立体３０のように内側ストレーナ１０と外側ストレーナ２０とを重ねたストレーナ構造にしなくても、単独で使用可能な粒子回収ポンプ用のストレーナ６０について説明する。なお、粒子回収ポンプ用のストレーナ６０は、内側ストレーナ１０又は外側ストレーナ２０として使用されてもよい。
【００７９】
図１０Ａは、比較例に係る粒子回収ポンプ用のストレーナ７０の孔７１を粒子が通過する様子を示す概略図である。図１０Ｂは、一実施形態に係る粒子回収ポンプ用のストレーナ６０の孔６１を粒子が通過する様子を示す概略図である。なお、図１０Ａと図１０Ｂは、一つの孔（孔６１又は孔７１）の付近を抽出した部分断面図である。
【００８０】
まず、粒子回収ポンプ用のストレーナ６０の理解を容易にするために、比較例に係る粒子回収ポンプ用のストレーナ７０について説明する。図１０Ａに示すように、比較例に係る粒子回収ポンプ用のストレーナ７０は、粒子回収ポンプ４０の吸込側に設けられるストレーナであって、複数の孔７１を含むストレーナ本体を備え、各々の孔７１は、孔７１の上流端に位置する上流側開口端と、孔７１の下流端に位置するとともに上流側開口端と同じ開口面積を有する下流側開口端と、を含む。このような構成によれば、例えば、吸引された粒子Ｐ５、Ｐ６、Ｐ７が孔７１の内部で引っ掛かり、閉塞が生じやすい。
【００８１】
一方、図１０Ｂに示すように、一実施形態に係る粒子回収ポンプ用のストレーナ６０は、粒子回収ポンプ４０の吸込側に設けられるストレーナであって、複数の孔６１を含むストレーナ本体を備え、各々の孔６１は、孔６１の上流端に位置する上流側開口端と、孔６１の下流端に位置するとともに上流側開口端よりも開口面積が大きい下流側開口端と、を含む。
【００８２】
かかる構成によれば、複数の孔６１のそれぞれにおいて、下流側開口端の方が上流側開口端よりも開口面積が大きくなっている。この場合、孔６１の上流側開口端を通過した粒子Ｐ５、Ｐ６、Ｐ７が孔６１の内部で引っ掛かりにくく、仮に粒子Ｐ５、Ｐ６、Ｐ７が孔の上流側開口端に引っ掛かったとしても、粒子回収ポンプ４０の吸引力によって外れやすい。そのため、粒子の回収に適している。
【００８３】
ここで、以下、粒子回収ポンプ用のストレーナ組立体３０又は粒子回収ポンプ用のストレーナ６０を用いた粒子回収システム１００（１００Ａ、１００Ｂ）について説明する。図１１は、一実施形態に係る粒子回収システム１００（１００Ａ）の構成を示す概略図である。図１２は、一実施形態に係る粒子回収システム１００（１００Ｂ）の構成を示す概略図である。
【００８４】
一実施形態に係る粒子回収システム１００（１００Ａ、１００Ｂ）は、図１１及び図１２に示すように、粒子を含む液体を吸引するための粒子回収ポンプ４０と、粒子回収ポンプ４０の吸込側に設けられる粒子回収ポンプ用のストレーナ組立体３０又は粒子回収ポンプ用のストレーナ６０と、を備える。
【００８５】
かかる構成によれば、粒子回収ポンプ用のストレーナ組立体３０又は粒子回収ポンプ用のストレーナ６０を備えているため、粒子の回収に適している。
【００８６】
幾つかの実施形態では、例えば、図１１及び図１２に示すように、粒子回収システム１００（１００Ａ、１００Ｂ）は、液体とともに前記粒子回収ポンプにより吸引された粒子を分離するための固液分離ユニット８０を備えている。
【００８７】
ここで、一実施形態では、図１１に示すように、固液分離ユニット８０は、粒子回収ポンプ４０より下流側に設けられ、固液分離ユニット８０により粒子が取り除かれた液体を固液分離ユニット８０の周囲に流出させるように構成されている。
【００８８】
かかる構成によれば、吸引した粒子と液体との分離を簡易な構成で実現することが可能となる。また、固液分離ユニット８０を密封しなくてもよいため、固液分離ユニット８０の交換作業を簡単化することが可能となる。
【００８９】
一方、一実施形態では、図１２に示すように、固液分離ユニット８０は、粒子回収ポンプ用のストレーナ組立体３０又は粒子回収ポンプ用のストレーナ６０から粒子回収ポンプ４０までの流路に設けられる。
【００９０】
かかる構成によれば、固液分離ユニット８０によって大きな粒子が除去されるため、粒子回収ポンプ４０に大きな粒子が流入しにくくなる。そのため、大きな粒子の流入に起因する粒子回収ポンプ４０の損傷リスク（例えば、ポンプ内の摩耗や閉塞）を小さくすることができる。
【００９１】
図１３は、一実施形態に係る粒子回収システム１００の脱水装置９０（９０Ａ）の構成を示す概略図である。図１４は、一実施形態に係る粒子回収システム１００の脱水装置９０（９０Ｂ）の構成を示す概略図である。
【００９２】
幾つかの実施形態では、粒子回収システム１００は、例えば、図１３及び図１４に示す、固液分離ユニット８０が分離した粒子の脱水を行うための脱水装置９０（９０Ａ、９０Ｂ）をさらに備えていてもよい。かかる構成によれば、固液分離後の粒子に含まれる水分をさらに分離することができる。
【００９３】
ここで、脱水装置９０（９０Ａ、９０Ｂ）の構成について詳細に説明する。まず、図１３及び図１４に示すように、脱水装置９０（９０Ａ、９０Ｂ）は、固液分離ユニット８０を収納可能なチャンバ９１と、チャンバ９１から排出される液体が流れる流路９２と、流路９２を通って排出される液体を受ける排出部９３とを含む。
【００９４】
一実施形態では、図１３に示すように、脱水装置９０（９０Ａ）は、チャンバ９１を回転させることによって、チャンバ９１内に収納された固液分離ユニット８０を回転させるように構成された回転機構９４をさらに含む。また、一実施形態では、図１４に示すように、脱水装置９０（９０Ｂ）は、チャンバ９１を振動させることによって、チャンバ９１内に収納された固液分離ユニット８０を振動させるように構成された振動機構９５をさらに含む。
【００９５】
このような脱水装置９０（９０Ａ、９０Ｂ）を備える粒子回収システム１００によれば、固液分離ユニット８０をそのまま回転又は振動させて脱水させることができる。そのため、脱水を行うために固液分離ユニット８０の中身を他の容器に移し替える作業が不要となる。なお、脱水装置９０は、脱水により分離された液体が外部に流出しないように、流路９２を閉鎖可能なバルブ９６（図１４参照）を備えていてもよい。また、排出部９３は密閉可能に構成されていてもよい。
【００９６】
幾つかの実施形態では、粒子回収システム１００は、固液分離ユニット８０が分離した粒子を加熱乾燥するように構成された加熱装置と、固液分離ユニット８０を収容可能なチャンバ（例えば脱水装置９０のチャンバ９１）の内部を真空引きするように構成された水分除去装置と、加熱時の排気に含まれる微粒子をフィルタリングするための固気分離装置との少なくとも一つをさらに備えていてもよい。なお、固気分離装置は、例えば、サイクロンセパレータ又はＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）を含んでいてもよい。
【００９７】
かかる構成によれば、粒子を外部に流出しにくくし、粒子を分離して回収することができる。
【００９８】
ここで、本発明の少なくとも一実施形態に係る粒子回収方法を説明する。図１５は、一実施形態に係る粒子回収方法を示すフローチャートである。
【００９９】
まず、粒子回収ポンプ４０の吸込側に設けられ、複数の第１孔１１が形成された第１面を有する内側ストレーナ１０と、内側ストレーナ１０の外側の少なくとも一部を覆うように取り付けられ、第１面に対向して配置される複数の第２孔２１が形成された第２面を有する外側ストレーナ２０とを粒子を含む液体中に浸漬する（ステップＳ１）。すなわち、粒子回収ポンプ用のストレーナ組立体３０を液体中に浸漬する。
【０１００】
次に、粒子回収ポンプ４０の吸引力によって、内側ストレーナ１０の複数の第１孔１１と外側ストレーナ２０の複数の第２孔２１よりも小さい粒子を、第１面および第２面に沿って粒子が移動可能な第１面と第２面との間の空間５０を介して回収する（ステップＳ２）。この回収時には、内側ストレーナ１０と外側ストレーナ２０との隙間Ａより小さな粒子径を有する粒子が、空間５０を通って粒子回収ポンプ４０に回収される。
【０１０１】
かかる方法によれば、外側ストレーナ２０によって第２孔２１を通過できない大きな粒子が排除されるため、内側ストレーナ１０の第１孔１１の閉塞が生じにくくなる。外側ストレーナ２０の第２孔２１から流入した回収対象粒子は、第１面および第２面に沿って移動可能であるため、内側ストレーナ１０の第１孔１１に容易に達することができる。また、複数の第２孔２１のいずれか一つ以上の第２孔２１に粒子が吸い付いた状態になったとしても、回収対象粒子は、他の第２孔２１から流入し、移動可能な空間５０を通って回り込み、内側ストレーナ１０の第１孔１１に容易に達することができる。そのため、粒子の回収に適している。
【０１０２】
本発明は上述した実施形態に限定されることはなく、上述した実施形態に変形を加えた形態や、これらの形態を適宜組み合わせた形態も含む。
【符号の説明】
【０１０３】
１０  内側ストレーナ
１１  第１孔
１３  底部
１４  側壁部
１５  頂部
１６  開口
１７  突起
２０  外側ストレーナ
２１  第２孔
２２  網
２５  調整機構
３０  ストレーナ組立体
４０  粒子回収ポンプ
４１  配管
５０  空間
５１  内部空間
６０，７０  ストレーナ
６１，７１  孔
８０  固液分離ユニット
９０  脱水装置
９１  チャンバ
９２  流路
９３  排出部
９４  回転機構
９５  振動機構
９６  バルブ
１００  粒子回収システム
Ａ  隙間
【図１】
2020175352.tif 000003
【図２】
2020175352.tif 000004
【図３Ａ】
2020175352.tif 000005
【図３Ｂ】
2020175352.tif 000006
【図４Ａ】
2020175352.tif 000007
【図４Ｂ】
2020175352.tif 000008
【図５】
2020175352.tif 000009
【図６】
2020175352.tif 000010
【図７】
2020175352.tif 000011
【図８Ａ】
2020175352.tif 000012
【図８Ｂ】
2020175352.tif 000013
【図９Ａ】
2020175352.tif 000014
【図９Ｂ】
2020175352.tif 000015
【図１０Ａ】
2020175352.tif 000016
【図１０Ｂ】
2020175352.tif 000017
【図１１】
2020175352.tif 000018
【図１２】
2020175352.tif 000019
【図１３】
2020175352.tif 000020
【図１４】
2020175352.tif 000021
【図１５】
2020175352.tif 000022